(57)【要約】【課題】様々な面で使い勝手のよさを発揮できる紙カートンの付属紙箱を提供する。【解決手段】ゲーベルトップ型の紙カートンＣの上部に取り付けられる付属紙箱Ａであって、紙カートンＣにおけるトップシール部Ｔの片側に位置する斜面上の空間に対応した角筒状の箱体部１と、その箱体部１の左右両端面を構成するとともに紙カートンの側面上部を幅全体に渡って覆うサイズの左右の側板部２，３と、左右の側板部２，３における箱体部１のない側の側端同士を接続した前板部４とからなる。左右の側板部と前板部とがそれぞれ紙カートンの側面上部と前面上部とを覆うように紙カートンに対して上方から被せるだけで、箱体部がトップシール部の片側に位置する斜面上に収まる状態で紙カートンの上部に取り付けることができる。また、トップシール部の日付表示も見える状態になり、広告面も多くとることができる。【選択図】図４
2006213328.tif 000002
【特許請求の範囲】
【請求項１】
ゲーベルトップ型の紙カートンの上部に取り付けられる付属紙箱であって、紙カートンにおけるトップシール部の片側に位置する斜面上の空間に対応した角筒状の箱体部と、その箱体部の左右両端面を構成するとともに紙カートンの側面上部を幅全体に渡って覆うサイズの左右の側板部と、左右の側板部における箱体部のない側の側端同士を接続した前板部とからなることを特徴とする付属紙箱。
【請求項２】
箱体部が開閉可能であることを特徴とする請求項１に記載の付属紙箱。
【発明の詳細な説明】
【技術分野】
【０００１】
本発明は、ゲーベルトップ型（切妻屋根型）の紙カートンに景品等の小物を取り付けるために使用される付属紙箱に関するものである。
【背景技術】
【０００２】
従来より、酒類、乳製品、ジュース、食用油等の液体を販売する場合、上部閉鎖部が切妻屋根型の形状をした紙製の角形容器、いわゆるゲーベルトップ型の紙カートンが広く使用されている。そして、このタイプの紙カートンにあっては、販売促進のため、そのトップシール部の両側に位置する斜面上の空間を利用し、そこに景品等の小物を付けた状態で販売することが行われており、この小物を入れるための容器として種々のタイプの付属紙箱が知られている。
【０００３】
例えば、実公昭５９−４３２１５号公報には、カートン斜面の裏面形状に相応した三角形状からなる舌片をカートン本体側へ折曲げ可能に設けておき、片方の斜面上にて当該斜面を左右から抱え込むようにして舌片を窪み内に折り込んで取り付けるようにした紙箱が記載されている。また、実開平７−１９１２１号公報には、紙カートンの上部全体を覆う紙箱であって、紙カートンのトップシール部に差し込むようにするとともに口栓嵌合孔を設けたものが記載されている。また、特開２００２−１４５２５２号公報には、斜面に口栓係合孔を有する断面角形状の筒状体で、紙カートンにおいて口栓のある片方の斜面上に取り付けるようにした紙箱が記載されている。
【特許文献１】実公昭５９−４３２１５号公報
【特許文献２】実開平７−１９１２１号公報
【特許文献３】特開２００２−１４５２５２号公報
【発明の開示】
【発明が解決しようとする課題】
【０００４】
上記した各種の付属紙箱は、いずれも紙製であることから環境に優しく、また表面に絵柄や文字などの様々印刷を施すことができるという利点がある。しかしながら、例えば、実公昭５９−４３２１５号公報に記載のものは、両端に設けられた舌片を紙カートンの斜面下部にある窪みに折り込んで差し込むようになっており、取り付けに手間がかかるという問題がある。
【０００５】
また、実開平７−１９１２１号公報に記載の紙箱は、紙カートンの上部に対してワンタッチで取付けが可能ではあるが、このタイプは紙カートンの上部全体を覆うので、トップシール部に設けられる製造年月日や賞味期限等の日付表示が隠れてしまい、購入時に表示を確認できないという問題がある。さらに、紙箱が大きいのでそれによる広告面が広くはなるが、店頭で隙間なく並んだ状態ではカートンの表面が全く見えなくなるので、紙カートンの顔であるカートン表面の印刷はたとえ斜面部分ではあってもなるべく隠したくないという販売サイドの思いに反するし、消費者にとっても購入する紙カートンはその一部でも見えた方が安心感がある。
【０００６】
また、特開２００２−１４５２５２号公報に記載のものは、ワンタッチで紙カートンへの取付けが可能であり、取付け状態においてトップシール部の日付表示が隠れないものではあるが、口栓のあるタイプの紙カートンにしか取り付けられないという問題があり、前記の実公昭５９−４３２１５号公報に記載のものも同様であるが、サイズが小さいので広告面が狭いという問題がある。
【０００７】
本発明は、従来の紙箱が有する上記の如き問題点に鑑みてなされたものであり、その目的とするところは、ワンタッチで取付けが可能であり、トップシール部の日付表示も見える状態になり、広告面も多くとれる等、様々な面で使い勝手のよさを発揮できる紙カートンの付属紙箱を提供することにある。
【課題を解決するための手段】
【０００８】
上記の目的を達成するため、本発明に係る付属紙箱は、ゲーベルトップ型の紙カートンの上部に取り付けられる付属紙箱であって、紙カートンにおけるトップシール部の片側に位置する斜面上の空間に対応した角筒状の箱体部と、その箱体部の左右両端面を構成するとともに紙カートンの側面上部を幅全体に渡って覆うサイズの左右の側板部と、左右の側板部における箱体部のない側の側端同士を接続した前板部とからなることを特徴としている。
【０００９】
そして、上記構成の付属紙箱において、箱体部が開閉可能であることが好ましい。
【発明の効果】
【００１０】
本発明の付属紙箱は、左右の側板部と前板部とがそれぞれ紙カートンの側面上部と前面上部とを覆うように紙カートンに対して上方から被せるだけで、箱体部がトップシール部の片側に位置する斜面上に収まる状態で紙カートンの上部に取り付けることができるので、ワンタッチで取付けが可能であり、取付け状態にあっては、箱体部がトップシール部の片側に位置するので、紙カートンにおける一方の斜面はカートンの顔の一部として見える状態となり、トップシール部の日付表示も見える状態になる。そして、箱体部の上面と背面、左右の側板部、前板部と露出する面が多いので、広告面も多くとることができる。このように、本発明の付属紙箱は、従来の各種のタイプの付属容器では果たせなかった様々な面で使い勝手のよさを発揮することができる。
【００１１】
そして、箱体部を開閉可能とすることにより、箱体部に対する景品等の小物の出し入れが容易となる。
【発明を実施するための最良の形態】
【００１２】
以下、具体例を挙げて、本発明の実施の形態について説明する。
【００１３】
図１は本発明に係る付属紙箱の一例を示す斜視図、図２は図１の付属紙箱を形成するブランクの平面図である。
【００１４】
図１に示されるように、この付属紙箱Ａは、牛乳パックの如き水平断面が正方形の紙カートンに用いるもので、紙カートンにおけるトップシール部の片側に位置する斜面上の空間に対応した角筒状の箱体部１と、その箱体部１の左右両端面を構成するとともに紙カートンの側面上部を幅全体に渡って覆うサイズの左右の側板部２，３と、左右の側板部２，３における箱体部１のない側の側端同士を接続した前板部４とからなる。この例の場合、左右の側板部２，３は正方形の一つの角を切断した五角形状をしており、前面部４はデザイン的に上辺を湾曲させて突き出した形状としている。
【００１５】
図１の付属紙箱Ａは、板紙を打ち抜いて形成された図２のブランクＢを組み立てて作製される。図示の如くこのブランクＢは、デザイン的に上辺を湾曲させた前面パネル１１を中心にして、その両側辺にそれぞれ折線ａ，ｂを介して五角形状の側面パネル１２，１３が連設しており、右側の側面パネル１３の側辺上半には折線ｃを介して背面パネル１４が連設している。さらに、背面パネル１４の下辺側には、底面パネル１５、中間パネル１６、上面パネル１７、差込みパネル１８がそれぞれ折線ｄ，ｅ，ｆ，ｇを介して順に連設している。また、背面パネル１４の側面パネル１３と反対側には折線ｈを介して接着片１４ａが連設されている。
【００１６】
そして、前面パネル１１、側面パネル１２，１３及び背面パネル１４の左右幅はそれぞれ紙カートンの水平断面の一辺より僅かに大きいサイズであり、背面パネル１４の上下幅はカートン斜面の鉛直方向の高さに、底面パネル１５の上下幅はカートン斜面の斜面方向長さに、中間パネル１６の上下幅はトップシール部の高さに、上面パネル１７の上下幅はカートン斜面の水平方向の長さにそれぞれ対応している。
【００１７】
また、左側の側面パネル１２の上辺には折線ｉを介して折曲げ片１２ａが形成され、その折曲げ片１２ａの右側には折線ｊを介して折込み片１２ｂが形成されており、右側の側面パネル１３の上辺には折線ｋを介して折曲げ片１３ａが形成され、その折曲げ片１３ａの左側には折線ｌを介して折込み片１３ｂが形成されている。
【００１８】
このブランクＢを組み立てるには、まず図３に示すようにサック貼り状態にする。すなわち、背面パネル１４の接着片１４ａの表面に糊を付け、ブランクＢを折線ａ，ｃのところで折り曲げることにより、側面パネル１２の裏面側に接着片１４ａを貼り付ける。
【００１９】
次いで、図３に示すサック貼り状態の付属紙箱を図１に示す使用状態とする。具体的には、前面パネル１１、側面パネル１２，１３及び背面パネル１４を角筒状とした後、折曲げ片１２ａと折込み片１２ｂを折線Ｉ，ｊで、折曲げ片１３ａと折込み片１３ｂを折線ｋ，ｌでそれぞれ内側に折り曲げ、中に景品等の小物を入れつつ、底面パネル１５、中間パネル１６、上面パネル１７及び差込みパネル１８を折線ｄ，ｅ，ｆ，ｇで折り曲げ、差込みパネル１８を背面パネル１４の内側に差し込むようにする。これにより、図１に示す如き付属紙箱Ａが組み立てられるとともにその箱体部１に景品等の小物が入った状態となる。ここで、ブランクＢにおける前面パネル１１、側面パネル１２，１３が付属紙箱Ａの前板部４、側板部２，３にそれぞれ対応する。そして、箱体部１は上面パネル１７の部分が図の矢印方向に開閉可能になる。
【００２０】
このように、ブランクＢから図１に示す付属紙箱Ａを組み立てた後、図４に示す如くこの付属紙箱Ａを紙カートンＣの上部に取り付ける。取付けに際しては、左右の側板部２，３と前板部４とがそれぞれ紙カートンＣの側面上部と前面上部とを覆うように紙カートンＣに対して上方から被せ、箱体部１がトップシール部Ｔの片側に位置する斜面上に着地して収まるようにする。
【００２１】
図４に示す取付け状態では、箱体部１がトップシール部Ｔの片側に位置するので、紙カートンＣにおける一方の斜面Ｓは見える状態となり、トップシール部Ｔの日付表示も見える状態になる。そして、箱体部１の上面と背面、左右の側板部２，３、前板部４には広告等の印刷を施すことができる。また、前板部４は図示のように上辺を湾曲させるなど種々のデザイン的な工夫を施すことができる。
【００２２】
以上、本発明の実施の形態について詳細に説明してきたが、本発明による付属紙箱は、上記実施の形態に何ら限定されるものではなく、本発明の趣旨を逸脱しない範囲において種々の変更が可能であることは当然のことである。
【００２３】
例えば、上記の説明では、水平断面が正方形の紙カートンに対して取り付けるタイプの付属紙箱を挙げたが、断面が長方形状の紙カートンに対しても適用可能である。
【００２４】
また、前面部は上部を湾曲させた形状としたが、この形状は任意であって、所望のデザインとすればよいものである。
【図面の簡単な説明】
【００２５】
【図１】本発明に係る付属紙箱の一例を示す斜視図である。
【図２】図１の付属紙箱を形成するブランクの平面図である。
【図３】図２のブランクをサック貼りした状態を示す平面図である。
【図４】図１に示す付属紙箱の使用状態を示す斜視図である。
【符号の説明】
【００２６】
Ａ  付属紙箱
Ｂ  ブランク
Ｃ  紙カートン
Ｓ  斜面
Ｔ  トップシール部
１  箱体部
２，３  側板部
４  前板部
１１  前面パネル
１２，１３  側面パネル
１２ａ，１３ａ  折曲げ片
１２ｂ，１３ｂ  折込み片
１４  背面パネル
１４ａ  接着片
１５  底面パネル
１６  中間パネル
１７  上面パネル
１８  差込みパネル
【図１】
2006213328.tif 000003
【図２】
2006213328.tif 000004
【図３】
2006213328.tif 000005
【図４】
2006213328.tif 000006